(57)【要約】 【課題】  本考案は安全を重視して人の手による構造だが、将来の事を考慮          すれば人の手を省いた自動化は避けられない状況になると思うが          日本を考えた場合日本の家の構造を考慮しなければ自動化は成り立たない。【解決手段】          自動化を考えた場合、老齢化の問題に携わってる関係の人たちの          横の関係が重要になる。直接介護に携わってる人、介護用品を扱ってる人たちの技術を融合するようにする。技術者はもっと将来の事を考え安全、安価、使い良さ等を意識から変え、考えるようにする事が重要である。          。【選択図】図１
2009028430.tif 000002
【特許請求の範囲】
【請求項１】
台を支柱とブラケットで組付け分解が出来、使用しない時にコンパクトに
小さく収納出来る構造とし、敷板、マット、上の掛け物等もそれぞれ組付
け分解式の構造とし、頭部、お尻の部分を広く開けられる構造で、頭部、
お尻の敷板を片扉、両扉式、ラックピニオン式、ジャバラ式、ワイヤ−式
、スプリング式、引き戸式、敷板入れ替え式、お尻部の両側のプレ−トを
水分跳ね上げ防止式等の構造で、シャワ−台車が入れ込み出来るような構
造にし、落下防止の手すりを装着し、お尻の所を開けた時に体のズレを抑
える為にずれ防止具をもうけ、下からはたれ防止具をもうけられるように
し、体の床ずれ防止とオムツ交換と洗浄の補助となる空気式マットをセッ
ト出来るようにし、排便、排尿用の換え便座を設けなおかつお尻、頭部が
洗えるシャワ−台車をもうけ、このシャワ−台車も同じように組付け分解
式の構造にし、シャワ−セット（電気式、エア−式）と容器、タンクを乗
せ、お尻の下受け用にコロをもうけ、これらをスム−スに楽に移動できる
ように下側にキャスタ−を付け、容器の高さが一定式と容器がシャワ−台
車上で上下する機構の物を設けまた台の下側にベッド用台車を装着出来る
ことを特徴とする介護ベッド。
【発明の詳細な説明】
【技術分野】
【０００１】
本発明は人間が対象なので安全に安価に考え、誰でも介護が一人で可能な
ようにオムツ交換部を広くとり、汚物入れや汚水入れとベッド部を分割出
来るようにし湿気、異臭等に配慮し、患者、介護側がストレスを少しでも
減らせるよう考案した。また頭部側もシャワ−台車が使用出来るように台
を分割式にした。又、台の構造も細かく分解、収納しやすく、使用しない
時などは小さく収納出来るようにブラケット等で連結させ、組付け、分解
が簡単に出来るような構造とした。組付けの時にシャワ−台車の入れる方
向により左右どちらでも組付け可能になる。組付け、分解が簡単に出来る
ことにより、リサイクルが容易に出来る。
【背景技術】
【０００２】
今までの介護ベッドに対する考え方は、半自動的な考えで完全自動で介護
する介護ベッドであれば人の手を借りなくてすむが全自動化の介護ベッド
を製作するにはコストがかかりすぎ利用者側に対する金銭的な負担が大く
かかる。機械方式になればなるほど機械が複雑になり利用者も機械の操作
ミスを起こしやすく危険率も高くなる。自動化しても現実において、人の
手を加えなければ介護が成り立たないのが現状である。排泄部も大掛かり
な機構の物もあり又、部分のみの狭い開口部の為介護がしずらい機構にな
ってる物もある。現実の作業のやり方としてオムツ交換などは、二人がか
りでオムツを交換をする所もある。またオムツ交換したときなど糞尿など
が肌に付いたままになることもあるため肌が荒れることもある。また、
糞尿などがきれいに拭きとれないために異臭を放つこともある。現実問題
としてオムツをかってる人はウォシュレット方式の洗浄方法ではオムツか
ぶれなどの解決はされない。また、汚物入れ、シャワ−のタンクもベッド
の下の空間に収納されてる為に 湿気も心配され、臭気も回りだけでなく
全体にこもる。
【特許文献１】特開平１１−５６９２４特開平８−２１５２５７                特開２００２−５２０４８                特開平８−１５０１８０
【発明の開示】
【発明が解決しようとする課題】
【０００３】
本発明は近年老人の比率が多くなりこれからも老人の占める割合が多くな
ると言われ介護の必要性が重要になる。オムツ交換は一人でするには大変
だし、病室の例だが寝たきりの病室の中は異臭がする。一般家庭も同様で
一般家庭の家の方が狭いためなおさら異臭、湿気も気になる。また介護疲
れで家族を犠牲にと言う話もある。オムツ交換は二人で交換する所もあり、
介護用施設では二倍人件費がかかる。ましてや、一般家庭では二人がかり
でというわけにも行かない。一人で介護が出来、使い安く、安価で安全で
清潔にまた、リサイクルが出来るこれらの課題を解決する為に本発明を考
えた。                    
【課題を解決するための手段】
【０００４】
本発明は、台３９を基本に形は普通のベッドと同じようにし、食べれば
みんな同じに排便、排泄が必要になる為の箇所、頭部の所を広く空けるよ
うに工夫し、空間を利用してオムツ交換が一人で楽に行えるようにする。
オムツ交換のさい、汚物、小便が肌に付いてる為の解決としてシャワ−台
車を使用し、洗いながし、その汚水を受け容器に受けその汚物、汚水をト
イレに流すようにすれば、普通にオマルを使用するように使える。また、
人体の上側の掛け物４４もお尻の部分あたりから分割方式にすれば部分の
みまくってオムツ交換等の一連の仕事がやりやすくなる。
【発明の効果】
【０００５】
このようにすれば、今までオムツ交換、異臭、衛生上の問題、人件費の問
題も解消され一般の家庭の中でも一人で楽に清潔な介護が可能になり、介
護する人の精神的負担が軽減できる。ベッドとシャワ−台車の組合せによ
り汚物の簡単処理、湿気による室内のジメジメ感の解消がなされ、介護を
受ける人も快適な空間が得られる。シャワ−台車をトイレ代わりにも簡単
に使用でき、トイレ後お尻等をすぐにきれいに洗うことが出来、簡単にす
ぐシャワ−台車をトイレの方に移動し汚物処理が可能になる。
構造も分解構造の為、追加機能も簡単になり人間のサイズに対応出来、一
部の部品交換だけであらゆるサイズの人にも対応出来る。シャワ−台車の
方も同様である。このような構造の為コストも削減出来、利用者の負担も
軽減出来る。又、構造上分解可能の為使用しない時はコンパクトに収納が
可能になる。他者の考案の物と違ってシャワ−台車方式なので使用参考例
のようにベッドの数に対して一台のシャワ−台車の数が用途に応じて少な
くてすむため集団利用の場所などは値段が安く利用できる。
【発明を実施するための最良の形態】
【０００６】
図１は全体図を示し、上部の図面はセット位置を平面から表したものであ
る。中断はシャワ−台車を入れた位置図で人間が出し入れ出来るという図
である。下段は人間がシャワ−台車を使用してる図である。図２はシャワ
−台車の詳細図である。図３は片開き式の図、図４は両開き式の図、図５
はプレ−ト移動図でラックぴニオン開閉式でハンドル使用にして軽い力で
プレ−トを移動できるようにした図である。図６はプレ−トを移動した図
である。図７はジャバラ開閉式の図で場所をなるべく少なくした使用図。
図８はジャバラを収納した図である。図９、図１０、図１１はワイヤ−（
紐類）開閉式の図でワイヤ−の使用方法を示した図である。図１１に関し
ては２本使用でプレ−トを出すため用に一本、戻すために一本使う。
図１２はスプリングを利用した図である。図１３はマットの構造図で頭部
、背中部、お尻部、下半身部との構造にし、汚れ具合によって部分洗いが
出来るようにした。また、ズレ防止の為につなぐ物としてマジックテ−プ
、ファスナ−、ボタン類等でつなぐ構造とする。背中部とお尻部の下に空
気マットを使用し床ずれ防止と共に空気マットを利用して腰、お尻の上げ
下げを調整してオムツ交換、大便、小便の出る部分を洗浄をする時にやり
やすいようにした。又、空気マットとマットを一緒に組込んだ物も使用出
来るようにした。図１４は頭部、お尻部を洗浄するときにマットを折れ込
んだ図。図１５はそれぞれ分解できる姿図。図１６は台３９、敷板３６の
組合せ図。図１７は敷板の分割使用図でジョイント金具で連結したもので
ある。図１８も敷板の姿図で図１９の中に組込んだ図であり頭部のマット
を移動した図である。図２０は頭部の敷板とマットを移動した図でそのと
き頭が下がらないように頭支え具をセットした図である。図２１はお尻の
下を空間にした時、お尻が下がらないようにたれ防止具をセットした図で
ある。図２２は上の掛け物の構造図で二分割した図である。図２３、図２
４、図２５は容器が上下する機構を示した図で、図２６は敷板分割図で、
図２７は敷板は配置図で、それぞれ分割した各プレ−トを外し、回りに囲
いを設けるように配置をする。お尻部も、両側のプレ−トを全開式と、跳
ね上げ式とし、頭部と同様にその上に水分に対応した布類等を敷き防水に
配慮する。またお尻の部分も同様な方式にすれば幅が広がる用途も出来る
。図２８は固定式介護ベッドを移動方式に出来るベッド用台車で図２９は
ベッド用台車セット図である。図３０は下半身が不自由な人がベッド上で
排便、排尿が可能とな換え便座である。図３１は換え便座装着図である。
図３２、図３３、図３４、は使用参考図である。
【図面の簡単な説明】
【０００７】
【図１】全体図
【図２】シャワ−台車図
【図３】扉の開閉方法の図
【図４】扉の開閉方法の図
【図５】プレ−トの移動方法と構造
【図６】扉の開閉方法の図
【図７】ジャバラ使用図
【図８】ジャバラ収納時の図
【図９】扉の開閉方法の図
【図１０】扉の開閉方法の図
【図１１】扉の開閉方法の図
【図１２】扉の開閉方法の図
【図１３】マット構造図
【図１４】マットの使用構造図
【図１５】マットの分解使用構造図
【図１６】敷板の配置図
【図１７】敷板の分解使用構造図
【図１８】敷板の分解使用構造図
【図１９】頭部洗髪時のマット移動図
【図２０】頭部洗髪時のマットと分解敷板の移動図
【図２１】お尻のたれ防止具の作動図
【図２２】上掛けの構造使用図
【図２３】容器が上下する機構を示した図
【図２４】容器が上下する機構を示した図
【図２５】容器が上下する機構を示した図
【図２６】敷板分割図
【図２７】敷板配置図
【図２８】ベット用台車
【図２９】ベッド用台車セット図
【図３０】換え便座
【図３１】換え便座装着図
【図３２】仕様参考図
【図３３】仕様参考図
【図３４】仕様参考図
【符号の説明】
【０００８】
１    支柱  
２    ブラケット
３    プレ−ト
４    ふた
５    棒
６    ホルダ−
７    支持金具
８    ころ
９    棒
１０  キャスタ−
１１  シャワ−セット
１２  タンク
１３  容器
１４  ずれ防止具
１５  支持金具
１６  扉
１７  プレ−ト
１８  ガイド
１９  スライドレ−ル
２０  ラック
２１  ブラケット
２２  ピニオン
２３  ハンドル
２４  ジャバラ
２５  丸棒
２６  取手
２７  ロ−ラ
２８  ワイヤ−（紐類）
２９  支持金具
３０  ガイド金具
３１  スプリング
３２  支持金具
３３  つなぐ物（マジックテ−プ、ファスナ−、ボタン類）
３４  空気式マット
３５  マット
３６  敷板
３７  ジョイント金具
３８  安定金具
３９  台
４０  頭支え具
４１  たれ防止具
４２  支点棒
４３  つなぐ物（マジックテ−プ、ファスナ−、ボタン類）
４４  掛け物
４５  介護される人
４６  介護人
４７  ブラケット
４８  ネジ
４９  ジャッキ
５０  シャフト
５１  モ−タ−
５２  ラック
５３  ピニオン
５４  プレ−ト
５５  プレ−ト
５６  プレ−ト
５７  ガイド
５８  蝶版
５９  プレ−ト
６０  ベッド用台車
６１  受け
【図１】
2009028430.tif 000003
【図２】
2009028430.tif 000004
【図３】
2009028430.tif 000005
【図４】
2009028430.tif 000006
【図５】
2009028430.tif 000007
【図６】
2009028430.tif 000008
【図７】
2009028430.tif 000009
【図８】
2009028430.tif 000010
【図９】
2009028430.tif 000011
【図１０】
2009028430.tif 000012
【図１１】
2009028430.tif 000013
【図１２】
2009028430.tif 000014
【図１３】
2009028430.tif 000015
【図１４】
2009028430.tif 000016
【図１５】
2009028430.tif 000017
【図１６】
2009028430.tif 000018
【図１７】
2009028430.tif 000019
【図１８】
2009028430.tif 000020
【図１９】
2009028430.tif 000021
【図２０】
2009028430.tif 000022
【図２１】
2009028430.tif 000023
【図２２】
2009028430.tif 000024
【図２３】
2009028430.tif 000025
【図２４】
2009028430.tif 000026
【図２５】
2009028430.tif 000027
【図２６】
2009028430.tif 000028
【図２７】
2009028430.tif 000029
【図２８】
2009028430.tif 000030
【図２９】
2009028430.tif 000031
【図３０】
2009028430.tif 000032
【図３１】
2009028430.tif 000033
【図３２】
2009028430.tif 000034
【図３３】
2009028430.tif 000035
【図３４】
2009028430.tif 000036